(57)【要約】【目的】本発明の目的は、配線の変更作業が簡単にできる安価な配線用ダクト及びこれを連結する連結具を提供することにある。【構成】配線用ダクトＡは、配線Ｃを収納する筒状体であって、この長さ方向にわたって開口１１０が設けられたダクト本体１００と、ダクト本体１００の開口縁部１２０、１２０の内側に各々設けられており且つ開口１１０を通じて配線Ｃをダクト本体１００に出し入れするために先端部２１０、２１０が開放されている弾性片であって、開口１１０を開閉可能に塞ぐ蓋体２００、２００とを具備している。【選択図】　　　図１
2004095227.tif 000002
【特許請求の範囲】
【請求項１】
配線を収納する筒状体であって、この長さ方向にわたって開口が設けられたダクト本体と、前記ダクト本体の開口縁部の内側に設けられており且つ前記開口を通じて配線を前記ダクト本体に出し入れするために先端部が開放された弾性片であって、前記開口を開閉可能に塞ぐ蓋体とを具備していることを特徴とする配線用ダクト。
【請求項２】
請求項１記載の配線用ダクトにおいて、前記ダクト本体の外側には、フランジ部が各々設けられていることを特徴とする配線用ダクト。
【請求項３】
請求項１又は２記載の配線用ダクトにおいて、少なくとも、前記蓋体は、透明であることを特徴とする配線用ダクト。
【請求項４】
請求項１、２又は３記載の配線用ダクトにおいて、前記ダクト本体には、収納された前記配線を外部に導くための導出孔が設けられていることを特徴とする配線用ダクト。
【請求項５】
直交配置された請求項１、２、３又は４記載の配線用ダクトの端部同士を連結する筒状の連結具において、配線用ダクトに嵌合する２以上の嵌合部と、この嵌合部が直交するように設けられており且つ上部に開口を有する連結具本体と、前記連結具本体の開口を覆う蓋部とを具備することを特徴とする連結具。
【発明の詳細な説明】
【０００１】
【発明の属する技術分野】
本発明は、配線を収納し保護する配線用ダクト及びこれを連結する連結具に関する。
【０００２】
【従来の技術】
近年のオフィスは、パソコン等のＯＡ機器の増加に伴って、電源線、通信線等の配線が多数存在し且つ錯綜している。従来、このような配線は、オフィスの床に落としているだけであったため、この配線に引っ掛かって、パソコンのデータを消したり、前記配線を傷付けたりすることがあった。
【０００３】
そこで、最近では、縁部に配線を収納する配線用ダクトが設けられた机が創案されており、配線用ダクトを用いて、オフィス内の配線を収納し保護することが考えられているが、前記机を新規に購入しなければならず、コスト高になるという問題がある。
【０００４】
ところで、配線を収納し保護する配線用ダクトとしては、図９に示すように配電盤に用いられるものがある。この配線用ダクトＥは、具体的には、配電盤に取り付けられており且つ配線を収納する断面視略凹型のダクト本体１００と、ダクト本体１００に取り付けられる蓋部２００とからなり、ダクト本体１００の上端部１１０、１１０の外側には、凸部１１１、１１１が長さ方向にわたって各々延出されている一方、蓋部２００の両端部２１０、２１０には、ダクト本体１００の凸部１１１、１１１が嵌合する嵌合部２１１、２１１が長さ方向にわたって形成されており、蓋部２００をスライドさせ、ダクト本体１００から取り外すことで、ダクト本体１００内に配線Ｃが収納可能になっている。
【０００５】
このような配線用ダクトＥをＯＡ機器の配線を収納することに用いることも可能であるが、ＯＡ機器の配線を収納することに配線用ダクトＥを用いた場合、ダクト本体１００は、机や壁等にネジ等で取り付けられることになる。
【０００６】
【発明が解決しようとする課題】
しかしながら、オフィスの配線を収納するために配線用ダクトＥを用いた場合、机等の配置換えに伴って、配線を変更する際、ダクト本体１００を机等から取り外す作業を要する。そのため、配線の変更作業が面倒になるという欠点を有している。
【０００７】
しかも、蓋部２００をダクト本体１００から取り外さなければ、配線を取り出すことができないため、この点でも、配線の変更作業が面倒になるという欠点を有している。
【０００８】
本発明は、上記事情に鑑みて創案されたものであって、その目的とするところは、配線の変更作業が簡単にできる安価な配線用ダクト及びこれを連結する連結具を提供することにある。
【０００９】
【課題を解決するための手段】
本発明の配線用ダクトは、配線を収納する筒状体であって、この長さ方向にわたって開口が設けられたダクト本体と、前記ダクト本体の開口縁部の内側に設けられており且つ前記開口を通じて配線を前記ダクト本体に出し入れするために先端部が開放された弾性片であって、前記開口を開閉可能に塞ぐ蓋体とを具備していることを特徴としている。
【００１０】
より好ましくは、前記配線用ダクトであって、前記ダクト本体の外側には、フランジ部が各々設けられていることが望ましい。
【００１１】
より好ましくは、少なくとも、前記蓋体は、透明であることが望ましい。
【００１２】
より好ましくは、前記ダクト本体には、収納された前記配線を外部に導くための導出孔が設けられていることが望ましい。
【００１３】
本発明の連結具は、直交配置された上記配線用ダクトの端部同士を連結する筒状の連結具において、配線用ダクトに嵌合する２以上の嵌合部と、この嵌合部が直交するように設けられており且つ上部に開口を有する連結具本体と、前記連結具本体の開口を覆う蓋部とを具備することを特徴としている。
【００１４】
【発明の実施の形態】
以下、本発明の実施の形態に係る配線用ダクトを図面を参照しながら説明する。図１は配線用ダクトの概略的斜視図、図２は同ダクトの概略的正面図、図３は同ダクトの使用状態を説明するための図である。
【００１５】
ここに掲げる配線用ダクトＡは、オフィスに隣り合う机Ｂ１、Ｂ２（図３参照）の間に介在する配線用ダクトである。配線用ダクトＡは、配線Ｃを収納する筒状体であって、この長さ方向にわたって開口１１０が設けられたダクト本体１００と、ダクト本体１００の開口縁部１２０、１２０の内側に各々設けられており且つ開口１１０を通じて配線Ｃをダクト本体１００に出し入れするために先端部２１０、２１０が開放されている弾性片であって、開口１１０を開閉可能に塞ぐ蓋体２００、２００とを具備している。以下、各部を詳しく説明する。
【００１６】
ダクト本体１００は、断面視凹型の樹脂製の形成品であって、上部に開口１１０が設けられている。ダクト本体１００の大きさは、本体内部１３０に延長コードのコンセントに接続されたＡＣアダプターを収納できる大きさにされている。なお、ダクト本体１００の大きさは、配線Ｃを収納できる大きさであれば良い。
【００１７】
蓋体２００、２００は、ダクト本体１００の開口縁部１２０、１２０の内側に、ダクト本体１００の長さ方向にわたって各々延出されている。この蓋体２００、２００は、先端部２１０、２１０が開口１１０を通じて配線Ｃをダクト本体１００に出し入れできるように開放されており、互いに向き合うようになっている。これにより、ダクト本体１００の開口１１０を閉塞し、ダクト本体１００内にゴミや塵などが入らないようにしている。
【００１８】
蓋体２００、２００は、弾性片であって、先端部２１０、２１０の厚さ寸法が基端部２２０、２２０の厚さ寸法より薄く形成されている。従って、蓋体２００、２００の先端部２１０、２１０に配線Ｃが押し当てられると、蓋体２００、２００は、弾性変形する。これにより、配線Ｃを先端部２１０、２１０の間から出し入れするだけで、ダクト本体１００からの配線Ｃの収納／取り出しが簡単にできる。
【００１９】
また、この蓋体２００、２００は、透明にされており、ダクト本体１００に収納された配線Ｃが目視できるようになっている。ここでいう透明とは、ダクト本体１００の内部が見える程度のことを言う。
【００２０】
ダクト本体１００の開口縁部１２０、１２０の外側には、フランジ部１４０、１４０がダクト本体１００の長さ方向にわたって各々延出されている。このフランジ部１４０、１４０は、机Ｂ１の縁部１０、机Ｂ２の縁部２０の上にそれぞれ載置されることによって、机Ｂ１の縁部１０、机Ｂ２の縁部２０にそれぞれ係止される。これによって、ダクト本体１００を机Ｂ１の縁部１０と机Ｂ２の縁部２０との間に置くだけで、机Ｂ１、Ｂ２に簡単に取り付けることができる。なお、フランジ部１４０、１４０は、ダクト本体１００の開口縁部１２０、１２０に断続的若しくは一部分のみに設けることも可能であり、机Ｂ１、Ｂ２の縁部１０、２０に載置でき、ダクト本体１００を机Ｂ１、Ｂ２に支持できるものであればよい。
【００２１】
ダクト本体１００の底部１５０は、ダクト本体１００の長さ方向の両端部１５１、１５２が丸みを帯びるように形成されている。これにより、机Ｂ１、Ｂ２に挟まれたりすることによって、外部から衝撃が加えられたとしても耐えることができる。一方、底部１５０の両端部１５１、１５２と直交する底部１５０の両端部１５３、１５４には、収納された配線Ｃの一部をダクト本体１００の外部に導くための導出孔１６０、１６０が開設されている。なお、導出孔１６０、１６０は、底部１５０の両端部１５３、１５４だけに限定されず、底部１５０の中央部、ダクト本体１００の両壁面、蓋体２００等に開設することも可能であり、必要がなければ開設しなくても良い。
【００２２】
以下、配線用ダクトＡの使用方法について説明する。まず、隣り合う机Ｂ１、Ｂ２間に配線用ダクトＡを介在させることができる隙間を設ける。
【００２３】
その後、前記隙間に配線用ダクトＡを置く。このとき、ダクト本体１００のフランジ部１４０、１４０が机Ｂ１の縁部１０、机Ｂ２の縁部２０上に載置される。そして、配線Ｃを蓋体２００、２００の間から挿入し、収納させる。
【００２４】
その後、机Ｂ１、Ｂ２の配置換えに伴って、配線Ｃの変更作業を行う場合、配線Ｃを蓋体２００、２００の間から取り出す。そして、配線用ダクトＡを机Ｂ１、Ｂ２から取り外す。机Ｂ１、Ｂ２の配置換えを行った後、上記手順を繰り返す。
【００２５】
このような配線用ダクトＡによる場合、配線Ｃを蓋体２００、２００の間から出し入れするだけで、配線Ｃを簡単にダクト本体１００に収納／取り出しができるので、配線Ｃの変更作業が容易になる。しかも、フランジ部１４０、１４０を机Ｂ１、Ｂ２の縁部１０、２０の上に置くだけで、机Ｂ１、Ｂ２に取り付けることができるので、この点でも配線Ｃの変更作業が容易になる。なお、以下のように設計変更することが可能である。
【００２６】
配線用ダクトＡは、ここでは、フランジ部１４０、１４０が設けられているとしたが、フランジ部１４０、１４０を有さない配線用ダクトとすることも可能である。このときは、ダクト本体１００をネジや裏面に貼り付けた磁石等を用いて机や地面に取り付けるようにすると良い。
【００２７】
また、配線用ダクトＡは、ここでは、開口縁部１２０、１２０の内側に蓋体２００、２００が各々延出されているとしたが、開口縁部１２０のいずれ一方のみに蓋体２００が延出されているとすることも可能である。
【００２８】
配線用ダクトＡは、ここでは、机Ｂ１の縁部１０、机Ｂ２の縁部２０に取り付けられるとしたが、これに限定されることはなく、パソコンラック、本棚等の家具、壁の凸部等にも取り付けることが可能である。
【００２９】
なお、ダクト本体１００は、ここでは、開口１１０を有する断面視略凹字状であるとしたが、これに限定されることはなく、開口１１０を有する円筒状など筒状のものであれば適宜設計変更することが可能である。
【００３０】
以下、配線用ダクトＡを複数用いた場合に、この配線用ダクトＡ同士を連結する連結具について図面を参照しながら説明する。図４は連結具の概略的斜視図、図５は同連結具の連結具本体の概略的斜視図、図６は同連結具の蓋体の概略的斜視図、図７は同連結具の使用状態を説明するための図、図８は二方向タイプの連結具を説明するための図である。
【００３１】
ここに掲げる連結具Ｄは、直交配置された配線用ダクトＡの端部同士を連結する筒状の連結具であって、筒状の配線用ダクトＡに嵌合する３つの嵌合部３００と、この嵌合部３００が直交するように設けられており且つ上部４１０に開口４２０を有する連結具本体４００と、連結具本体４００の開口４２０を覆う蓋であって、幅寸法が連結具本体４００の開口４２０の幅寸法より幅広にされた蓋部５００とを具備している。以下、各部を詳しく説明する。
【００３２】
連結具本体４００は、図５に示すように、断面視略凹字型の形成品であって、両端部４４０、４５０と、一方の側面４７０とから嵌合部３００がそれぞれ延出されている。連結具本体４００の両端部４４０、４５０には、後述する蓋体５００の係止部５２０と係止する係止孔４６０、４６０、４６０、４６０が各々設けられている。なお、ここでは、嵌合部３００は、連結具本体４００の両端部４４０、４５０及び一方の側面４７０から延出されているとしたが、他方の側面、底部、上部４１０等に設けることが可能であり、いずれかの箇所に少なくとも２以上の嵌合部３００が設けられていれば良い。
【００３３】
嵌合部３００は、配線用ダクトＡのダクト本体１００の両端部１７０、１７０のいずれか一方に嵌合できるように作成された断面視略凹字型である。嵌合部３００は、基端３２０から先端３１０にかけて傾斜している。これによって、ダクト本体１００の両端部１７０、１７０の開口１７１、１７１のいずれか一方に挿入し易くなっている。
【００３４】
蓋体５００は、図６に示すように幅寸法が連結具本体４００の開口４２０の幅寸法よりも大きい板材であって、裏面５１０に４つの係止部５２０が突出形成されている。係止部５２０が連結具本体４００の係止孔４６０に係止されることによって、蓋体５００は、連結具本体４００の上部４１０に取り付けられる。連結具本体４００に取り付けられた蓋体５００は、連結具本体４００からはみ出した部分が机Ｂ１、Ｂ２、Ｂ３の縁部１０、２０、３０に載置されることによって、机Ｂ１、Ｂ２、Ｂ３の縁部１０、２０、３０に係止される。なお、蓋体５００は、板材であるとしたが、これに限定されるものではない。
【００３５】
以下、連結具Ｄの使用方法について説明する。まず、蓋体５００を連結具本体４００から取り外した状態で、配線用ダクトＡを嵌合部３００に取り付ける。そして、配線Ｃを配線用ダクトＡ及び連結具本体４００に収納させる。その状態で、連結具本体４００に蓋体５００を取り付ける。
【００３６】
その後、隣り合う机Ｂ１、Ｂ２、Ｂ３間に配線用ダクトＡ及び連結具Ｄを介在させることができる隙間を設ける。そして、図７に示すように前記隙間に配線用ダクトＡ及び連結具Ｄを挿入する。このとき、蓋体５００が机Ｂ１、Ｂ２、Ｂ３の縁部１０、２０、３０に係止されるので、連結具Ｄ及び配線用ダクトＡは簡単に机Ｂ１、Ｂ２、Ｂ３に取り付けることができる。
【００３７】
このような連結具Ｄによる場合、複数の配線用ダクトＡを簡単に連結することができるので、配線Ｃの交換作業が簡単になる。
【００３８】
なお、向かい合うように配置された配線用ダクトＡ同士を連結する場合には、図８に示すような連結具Ｅを用いることも可能である。この連結具Ｅは、樋状であって、側壁が中央部が最も高く端部に行くに従って低くなる略山型になっている。従って、この連結具Ｅは、配線用ダクトＡに挿入し易いという利点がある。
【００３９】
【発明の効果】
本発明の請求項１の配線用ダクトは、配線を収納する筒状体であって、この長さ方向にわたって開口が設けられたダクト本体と、前記ダクト本体の開口縁部の内側に設けられており且つ前記開口を通じて配線を前記ダクト本体に出し入れするために先端部が開放された弾性片であって、前記開口を開閉可能に塞ぐ蓋体とを具備していることを特徴としている。
【００４０】
このような請求項１の配線用ダクトによる場合、前記蓋体の先端部の間から、配線を出し入れするだけで、配線の収納／取り出しが簡単にできるので、配線の変更作業が非常に簡単になる。また、ダクト本体の大きさは任意であるため、ＯＡ機器のＡＣアダプタ等も収納することができる。
【００４１】
本発明の請求項２の配線用ダクトは、請求項１記載の配線用ダクトにおいて、前記ダクト本体の外側には、フランジ部が各々設けられている。
【００４２】
このような請求項２の配線用ダクトによる場合、フランジ部を机等の縁部に載置するだけで、簡単に取り付けることができるので、この点でも配線の変更作業が簡単になる。
【００４３】
本発明の請求項３の配線用ダクトは、請求項１又は２記載の配線用ダクトにおいて、少なくとも、前記蓋体は、透明である。
【００４４】
このような請求項３の配線用ダクトによる場合、ダクト本体に収納された配線を目視することができるので、便利である。
【００４５】
本発明の請求項４の配線用ダクトは、請求項１、２又は３記載の配線用ダクトにおいて、前記ダクト本体には、収納された前記配線を外部に導くための導出孔が設けられていることを特徴とする配線用ダクト。
【００４６】
このような請求項４の配線用ダクトによる場合、収納された配線は、延長コードを用いることなく、外部の接続端子（例えばコンセント等）に接続することができる。
【００４７】
本発明の請求項５の連結具は、直交配置された請求項１、２、３又は４記載の配線用ダクトの端部同士を連結する筒状の連結具において、筒状の配線用ダクトに嵌合する２以上の嵌合部と、この嵌合部が直交するように設けられており且つ上部に開口を有する連結具本体と、前記連結具本体の開口を覆う蓋部とを具備することを特徴としている。
【００４８】
このような請求項５の連結具による場合、前記配線用ダクトを嵌合部に嵌合させるだけで、簡単に連結させることができるので、この点で、配線の変更作業が簡単になる。
【図面の簡単な説明】
【図１】配線用ダクトの概略的斜視図である。
【図２】同ダクトの概略的正面図である。
【図３】同ダクトの使用状態を説明するための図である。
【図４】連結具の概略的斜視図である。
【図５】同連結具の連結具本体の概略的斜視図である。
【図６】同連結具の蓋体の概略的斜視図である。
【図７】同連結具の使用状態を説明するための図である。
【図８】二方向タイプの連結具を説明するための図である。
【図９】従来のＯＡ機器内に用いられる配線用ダクトの概略的斜視図である。
【符号の説明】
Ａ　　　配線用ダクト
１００　ダクト本体
１２０　開口縁部
１４０　フランジ部
２００　蓋体
Ｂ　　　連結具
３００　嵌合部
４００　連結具本体
５００　蓋部
【図１】
2004095227.tif 000003
【図２】
2004095227.tif 000004
【図３】
2004095227.tif 000005
【図４】
2004095227.tif 000006
【図５】
2004095227.tif 000007
【図６】
2004095227.tif 000008
【図７】
2004095227.tif 000009
【図８】
2004095227.tif 000010
【図９】
2004095227.tif 000011